(57)【要約】【課題】キャリアシートの大型化を防ぎ、キャリアシートが斜行して搬送されても、相手先の情報を正しく読み取れる画像データ送信方法を提供する。【解決手段】透明のキャリアシート３１に、原稿３２とともにＲＦ−ＩＤタグ３３を挟み、一方フアクシミリ装置のスキャナ９に，ＲＦ−ＩＤリーダ１９を備え、画像送信のためにスキャナ９で画像読み取りを行う際に，ＲＦ−ＩＤリーダ１９で、ＲＦ−ＩＤタグ３３から相手先に関する情報を読み出し、その相手先に画像データを送信する。【選択図】      図２
2006217297.tif 000002
【特許請求の範囲】
【請求項１】
キャリアシートに原稿を挟んで、前記原稿を読み取り、画像データに変換し、この画像データを通信路を通して送信するフアクシミリ通信方法において、前記キャリアシートには無線ＩＤタグを設けると共に、画像読取部には、無線ＩＤタグリーダを設け、前記原稿を読み取る際に、前記無線ＩＤタグから少なくとも相手先に関する情報を読み出し、その相手先に画像データを送信することを特徴とする画像データ送信方法。
【請求項２】
前記無線ＩＤタグは、前記キャリアシートの、原稿の裏面に対応する位置に貼り付けられることを特徴とする請求項１記載の画像データ送信方法。
【請求項３】
前記無線ＩＤタグから読み出したデータに基づいて、発信元表示の画像データを生成し、前記読み取った原稿の画像データに付加して送信することを特徴とする請求項1又は請求項２記載の画像データ送信方法。
【発明の詳細な説明】
【技術分野】
【０００１】
この発明は、フアクシミリ装置などで原稿を送信する場合の画像データ送信方法に関する。
【背景技術】
【０００２】
フアクシミリ装置で原稿を送信する場合、原稿が薄くて破れやすいものがある。このような破れやすい原稿を読み取る場合、キャリアシート（透明のフオルダ）に挟んで、自動原稿送り装置（ＡＤＦ）にセットすることが好ましい。そこで、このキャリアシートに、名刺などを挿入することが出来る空間を作り、名刺等に記されたバーコードを読み取り、電話番号に変換してフアクシミリ送信する技術が提案されている（例えば特許文献１参照）
【特許文献１】特開平６−６２２１０号公報
【発明の開示】
【発明が解決しようとする課題】
【０００３】
上記した特許文献1に記載の技術では、キャリアシートに名刺等を挿入する部分を、原稿を挿入する部分とは別に設けなければならず、キャリアシートが大きくなる問題がある。又、キャリアシートをＡＤＦに通すときに、キャリアシートが斜行するとバーコードが正確に読みとれない問題点があった。
【０００４】
この発明は、上記問題点に着目してなされたものであって、キャリアシートの大型化を防ぎ、キャリアシートが斜行して搬送されても、相手先の情報を正しく読み取れる画像データ送信方法を提供することを目的とする。
【課題を解決するための手段】
【０００５】
この発明の画像データ送信方法は、キャリアシートに原稿挟んで、前記原稿を読み取り、画像データに変換し、この画像データを通信路を通して送信するフアクシミリ通信方法において、前記キャリアシートには無線ＩＤ（ＲＦ−ＩＤ）タグを備えると共に、画像読み取り部には、無線ＩＤ（ＲＦ−ＩＤ）タグリーダを設け、前記原稿を読み取る際に、前記無線ＩＤタグから少なくとも相手先に関する情報を読み出し、その相手先に画像データを送信することを特徴とする。
【０００６】
この発明の画像データ送信方法において、前記無線ＩＤタグは、前記キャリアシートの、原稿の裏面に対応する位置に貼り付けることが望ましい。
【０００７】
又、この発明の画像データ送信方法において、前記無線ＩＤタグから読み出したデータに基づいて、発信元表示の画像データを生成し、前記読み取った原稿の画像データに付加して送信すると良い。
【発明の効果】
【０００８】
この発明によれば、無線ＩＤタグは、キャリアシートが斜行した場合でもデータを正確に読み出せるので、確実に相手先に画像データを送信することができる。また、原稿の裏面（読み取らない面）側に無線ＩＤタグを貼り付けるようにしておけば、原稿の読み取りの邪魔にならないため、キャリアシートを大きくする必要がない。
【発明を実施するための最良の形態】
【０００９】
以下、実施の形態により、この発明をさらに詳細に説明する。図１は、この発明が実施されるフアクシミリ装置の構成を示すブロック図である。この実施形態フアクシミリ装置は、ＭＰＵ（Ｍｉｃｒｏ  Ｐｒｏｃｅｓｓｏｒ  Ｕｎｉｔ）１と、ＮＣＵ（Ｎｅｔｗｏｒｋ  Ｃｏｎｔｒｏｌ  Ｕｎｉｔ）２と、ＭＯＤＥＭ（Ｍｏｄｕｌａｔｏｒ  Ｄｅｍｏｄｕｌａｔｏｒ）３と、ＲＯＭ（Ｒｅａｄ  Ｏｎｌｙ  Ｍｅｍｏｒｙ）４と、ＲＡＭ（Ｒａｎｄｏｍ  Ａｃｃｅｓｓ  Ｍｅｍｏｒｙ）５と、画像メモリ６と、表示部７と、操作部８と、スキャナ９と、ＣＯＤＥＣ（Ｃｏｄｅｒ  Ｄｅｃｏｄｅｒ）１０と、プリンタ１１と、ＬＡＮ−ＩＦ（Ｌｏｃａｌ  Ａｒｅａ  Ｎｅｔｗｏｒｋ−Ｉｎｔｅｒ  Ｆａｃｅ）１２と、時計回路１３と、バス１４とを、備えている。
【００１０】
ＭＰＵ１は、ＲＯＭ４に格納するプログラムに従い、この装置を構成する各部を制御する機能を有する。ＮＣＵ２は、電話回線網（ＰＳＴＮ）２０との接続を制御するとともに、相手先の電話番号（ＦＡＸ番号を含む）に対応した選択（ダイヤル）信号を送出する機能、及び呼出信号を検出するための機能を備えている。ＭＯＤＥＭ３は，ＩＴＵ(国際電気通信連合)―Ｔ勧告Ｔ．３０に従ったフアクシミリ伝送制御手順に基づいて、Ｖ．１７、Ｖ．２７ｔｅｒ、Ｖ．29等に従った送信データの変調及び受信データの復調を行う。あるいは、これらに加えてＶ．３４に従った送信データの変調及び受信データの復調を行う。
【００１１】
ＲＯＭ４は、この装置を制御するためのプログラムを記憶する。ＲＡＭ５はＭＰＵ１が処理するデータ等を一時的に記憶する。このＲＡＭ5は、後述のＲＦ−ＩＤタグ３３から読み出したデータを記憶する。画像メモリ６は、受信した画像データやスキャナ９で読み取った画像データを記憶する。表示部７は、装置からオペレータへの伝達情報等を表示する。操作部８は、テンキー、ＦＡＸキー、ＣＯＰＹキー、スタートキー、ワンタッチキーなどの操作スイッチを有する。
【００１２】
スキャナ９は、ＦＡＸ送信するとき、又はコピーするときに、原稿の画像を読み取る。このスキャナ９には、読み取り光学系を駆動するためのモータ１５と、このモータを駆動制御するスキャナ機構駆動回路１６と、原稿を読み取るためのＣＣＤセンサ１７と、このＣＣＤセンサ１７の読み取り画像信号を画像処理する画像処理回路１８を備えるほか、ＲＦ−ＩＤタグ３３のデータを読み取るためのＲＦ−ＩＤリーダ１９を備えている。ＲＦ−ＩＤリーダ１９は、スキャナ９の原稿搬送路の適宜の箇所に配置している。このＲＦ−ＩＤリーダ１９は、ＲＦ−ＩＤリーダ／ライタであっても良い。
【００１３】
ＣＯＤＥＣ１０は、読み取った画像データを送信するために、ＭＨ，ＭＲ，ＭＭＲ方式等により符号化（エンコード）し、受信した画像データを復号する。プリンタ１１は、複写時にスキャナ９で読み取られた画像データ、フアクシミリ受信した受信画像データ、外部機器であるＰＣ（Ｐｅｒｓｏｎａｌ  Ｃｏｍｐｕｔｅｒ）等から伝送されてきたプリントデータをプリントする。ＬＡＮ−ＩＦ１２は，ＬＡＮ（Ｌｏｃａｌ  Ａｒｅａ  Ｎｅｔｗｏｒｋ）を介してＰＣなどの外部機器に接続され、ここより外部機器とのデータ授受を行う。時計回路１３は、現在の時刻（年月日時分）を出力する。各構成部は、バス１４により接続されている。
【００１４】
この実施形態フアクシミリ装置を用いて、原稿をフアクシミリ送信するのに、図２に示すキャリアシートを使用する。このキャリアシート３１は、シート材が折り返して形成され、上面３１ａと下面３１ｂからなり、上面３１ａは透明としたものである。このキャリアシート３１は、原稿３２を挟み込んでフアクシミリ装置のＡＤＦにセットされる。このキャリアシート３１の原稿３２の裏面側の下面３１ｂの表面に、ＲＦ−ＩＤ(無線ＩＤ)タグ３３が添着されている。このＲＦ−ＩＤタグ３３は、裏面に粘着材を塗布したシール状のものであり、表面に「送り先」、「用件」、「発信者（部署、氏名）等が印刷され、さらにこれらのデータが内部記憶されている。このＲＦ−ＩＤタグ３３は、よくフアクシミリを送る送り先用に準備しておくと、送り先をテンキー、ワンタッチキーを操作することなく送信でき、便利である。
【００１５】
このキャリアシート３１に原稿３２を収容して上記装置のＡＤＦにセットし、操作部８の送信キーを走査すると、スキャナ９のＣＣＤセンサ１７及び画像処理回路１８で、原稿３２の原稿部３２ａが光学的に読み取られる。同時にキャリアシート３１のＲＦ−ＩＤタグ３３の記憶データが，ＲＦ−ＩＤリーダ１９によって電磁的に読み取られる。このＲＦ−ＩＤリーダ１９で読み出したデータ（「送り先」、「用件」、「発信者」）に基づき画像データを生成する。この生成した画像データを、読み取った原稿部３２ａの画像に付加して送信する。
【００１６】
次に、実施形態フアクシミリ装置によりフアクシミリ送信する場合の処理動作を図３〜図６のフロー図を参照して説明する。フクシミリ装置では、ステップＳＴ１において、ＡＤＦにキャリアシート３１に挟んだ原稿３２がセットされる。続いて、ステップＳＴ２に移行する。ステップＳＴ２においては、操作部８のスタートキーがＯＮされたか否か判定する。ここで、スタートキーがＯＮされると、ステップＳＴ３へ移行する。ステップＳＴ３では、スキャナ９で、ＣＣＤセンサ１７、画像処理回路１８により原稿の読み取りを開始する。続いてステップＳＴ４へ移行する。ステップＳＴ４においては、原稿を読み取り、さらに画像データをＣＯＤＥＣ１０で符号化して、画像メモリ６に蓄積する。続いて、ステップＳＴ５へ移行する。
【００１７】
ステップＳＴ５においては、読み取り終了か否かを判定する。読み取り終了でない場合は、ステップＳＴ４へ戻り、続きの原稿を読み取り、符号化して画像メモリ６に蓄積する。一方、読み取り終了の場合は、ステップＳＴ６へ移行する。ステップＳＴ６においては、キャリアシート３１の排出処理を実行する。
【００１８】
原稿読み取りと平行して、ＲＦ−ＩＤタグ３３のリード処理が図４に示すフロー図にしたがって、実行される。先ず、ステッップＳＴ１１で、ＲＦ−ＩＤタグ３３を検出か否か判定する。ＲＦ―ＩＤタグ３３を検出の場合は、ステップＳＴ１２へ移行する、一方、ＲＦ−ＩＤタグ３３を検出しない場合は、ステップＳＴ１５へ移行する。ステップＳＴ１２においては、ＲＦ−ＩＤリーダ１９でＲＦ−ＩＤタグ３３のデータを読み出し、ＲＡＭ５に記憶する。次に、ステップＳＴ１３へ移行する。ステップＳＴ１３においては、読み出したデータが正しいか、すなわちデータのフォーマットが適合か、データの値が所定の範囲にあるか等を判定する。データが正しい場合は、ステップＳＴ１４へ移行する。ステップＳＴ１４においては、フラグＦを「１」に設定する。一方読み出したデータが正しくない場合は、ステップＳＴ１６へ以降する。
【００１９】
ステップＳＴ１５においては、原稿読み取りが終了か否か判定する。原稿読み取りが終了していない場合は、ステップＳＴ１１に戻り、ＲＦ−ＩＤタグ３３の検出処理を継続する。一方。原稿読み取り終了の場合は、ステップＳＴ１６へ移行する。ステップＳＴ１６においては、ステップＳＴ１３で、ＲＦ−ＩＤタグ３３のデータ読み取りが出来なかった場合も含めて、フラグＦを「０」とする。そして、リターンする。ここでは、フラグＦは、ＲＦ−ＩＤタグ３３の記憶内容がＲＦ−ＩＤリーダ１９によって、正しく読み取られたことを示すフラグであり、ＲＡＭ５に、フラグＦを「１」あるいは「０」と記憶する。
【００２０】
次に、読み取った原稿を送信する。この場合、ステップＳＴ２１において、フラグＦが「１」であるか否か判定する。フラグＦ＝１の場合はステップＳＴ２８へ移行する。一方、フラグＦ＝１でない（フラグＦ＝０の場合）は、ステップＳＴ２２へ移行する。
【００２１】
ステップＳＴ２２においては、表示部７に「タグよりデータを読み取れませんでした。後の処理を指定ください。」を表示する。次にステップＳＴ２３へ移行する。ステップＳＴ２３においては、操作部８において、キー入力を受ける。続いてステップＳＴ２４へ移行する。ステップＳＴ２４では、入力されたキーがテンキー、ワンタッチキーか、コピーキーか、ストップキーかを判定する。コピーキーの場合は、ステップＳ２５へ移行する。ストップキーの場合は、ステップＳＴ２６へ移行する。テンキー、ワンタッチキーの場合は、ステップＳＴ２７へ移行する。ステップＳＴ２５においては、コピー処理を実行する。ステップＳＴ２６においては、画像メモリ６より、画像データを消去する。そして処理を終了する。また、ステップＳＴ２７においては、テンキーあるいはワンタッチキーで指定された番号へ通常のフアクシミリ送信を行う。なお、ステップＳＴ２４のテンキー、ワンタッチキーの判断には、テンキーによる直接相手先電話番号入力後、再度スタートキーを押す場合も含まれる。
【００２２】
以上の、ステップＳＴ２１以降の処理は，ＲＦ−ＩＤタグ３３が添付されていない場合、あるいは正しく読み取られていない場合に実行される通常の処理である。
【００２３】
ステップＳＴ２８においては、時計回路１３から、年月日、時刻のデータを読み出す。次にステップＳＴ２９へ移行する。ステップＳＴ２９においては、ＲＦ−ＩＤタグ３３から読み出したデータと年月日、時刻に基づいてＴＴＩイメージを生成する。続いてステップＳＴ３０へ移行する。ステップＳＴ３０においては、ＲＦ−ＩＤタグ３３より読み出した相手先情報を表示部７に表示する。次にステップＳＴ３１へ移行し、回線を接続し、相手先電話番号をダイヤルする。そして，ステップＳＴ３２へ移行する。
【００２４】
ステップＳＴ３２においては、相手先着信か、つまり相手先より受信の応答有りか否か判定する。相手先着信無しの場合は、リダイヤル待ちする。一方、着信有りの場合はステップＳＴ３３へ移行する。ステップＳＴ３３においては、フアクシミリ送信における前手順を実行する。つまり、すでによく知られるように前回の通信結果に基づいてシンボルレート、データレート等を決定する。そして、ステップＳＴ３４へ移行する。ステップＳＴ３９においては、ＴＴＩイメージを原稿イメージデータに付加する。図７に、その付加した画像例を示す。次に、ステップＳＴ３５に移行する。ステップＳＴ３５においては、画像データ、つまり、ＴＴＩイメージを付加した原稿イメージデータを送信する。続いてステップＳＴ３６へ移行する。ステップＳＴ３６においては、画像データ送信終了か否か判定する。終了でない場合は、ステップＳＴ３５に戻り、画像データの送信を継続する。一方、画像データ送信終了の場合は、ステップＳＴ３７へ移行する。
【００２５】
ステップＳＴ３７においては、フアクシミリ送信のＲＴＣ（Ｒｅｔｕｒｎ  Ｔｏ  Ｃｏｎｔｒｏｌ）送信などの後手順を実行し、ステップＳＴ３８で、回線を開放し、続いてステップＳＴ３９へ移行する。ステップＳＴ３９においては、ＲＦ−ＩＤタグ３３を検出できるか否か判定する。ＲＦ−ＩＤタグ３３を検出の場合は、ステップＳＴ４０へ移行する、一方、ＲＦ−ＩＤタグ３３を検出しない場合は、処理を終了する。ステップＳＴ４０においては、通信結果をＲＦ−ＩＤタグ３３に書き込み、処理を終了する。
【００２６】
なお、上記実施形態では、フアクシミリ通信は、国際電気通信連合（ＩＴＵ）−Ｔ勧告Ｔ．３０によるフアクシミリ通信を想定して説明しているが、本発明では、このフアクシミリ通信に限らず、Ｅ−ｍａｉｌに画像フアイル（．ｔｉｆ等）を添付する形式のいわゆるインターネットフアクシミリ送信にも適用できる。
【００２７】
また、ＲＦ−ＩＤタグは、データを読み出すだけでなく、送信日時、送信結果を書き込んでおくこともできる。これにより、後で、原稿が相手に送信されたかどうかを確認することが可能となる。また、ＴＴＩだけでなく、送り状の画像データを生成して、原稿の画像データに付加することもできる。
【図面の簡単な説明】
【００２８】
【図１】この発明が、実施されるフアクシミリ装置の概略構成を示すブロック図である。
【図２】この発明の実施に使用されるキャリアシート及び原稿を説明する図である。
【図３】上記フアクシミリ装置における原稿読み取り処理を説明するフロー図である。
【図４】同フアクシミリ装置のＲＦ−ＩＤタグの読み取り処理を説明するフロー図である。
【図５】同フアクシミリ装置における送信処理を説明するフロー図である。
【図６】図５とともに、同フアクシミリ装置における送信処理を説明するフロー図である
【図７】上記フアクシミリ装置において生成される合成原稿イメージを説明する図である。
【符号の説明】
【００２９】
１                        ＭＰＵ
２                        ＮＣＵ
３                        ＭＯＤＥＭ
４                        ＲＯＭ
５                        ＲＡＭ
６                        画像メモリ
７                        表示部
８                        操作部
９                        スキャナ
１０                      ＣＯＤＥＣ
１１                      プリンタ
１２                      ＬＡＮ−ＩＦ
１３                      時計回路
１４                      バス
１５                      モータ
１６                      スキャナ機構駆動回路
１７                      ＣＣＤセンサ
１８                      画像処理回路
１９                      ＲＦ−ＩＤリーダ
３１                      キャリアシート
３２                      原稿
３３                      RF―ＩＤタグ
【図１】
2006217297.tif 000003
【図２】
2006217297.tif 000004
【図３】
2006217297.tif 000005
【図４】
2006217297.tif 000006
【図５】
2006217297.tif 000007
【図６】
2006217297.tif 000008
【図７】
2006217297.tif 000009